(57)【要約】【課題】受信中において無信号になったときでも、無信号状態を遅延なく検出して直ちにミュート回路を作動させて、ノイズが出力されることを防止する。【解決手段】受信した信号を検波した信号を音声出力しながら、受信した信号の信号強度値を検出し、所定の時間間隔で検出した所定数の信号強度値を、その検出毎に先入先出で更新しながら保持したうえで、所定数の信号強度値の平均値を、信号強度値が検出される毎に算定して記憶し、さらに平均値を算定する毎に、算定した算定平均値と予め記憶している記憶平均値とを比較し、算定平均値が記憶平均値より減少し、且つその減少量が所定の抑制設定値以上になると、音声出力をミュートする。【選択図】図１
2015119252.tif 000002
【特許請求の範囲】
【請求項１】
受信した信号を検波する検波部と、上記検波された信号を音声出力する音声出力部と、上記受信した信号の信号強度値を検出する信号強度検出部と、上記検波された信号の上記音声出力部への入力を制御するミュート部と、上記信号強度検出部が検出する上記信号強度値に基づいて上記ミュート部を制御する制御部とを備え、
上記制御部は、上記信号強度検出部が所定の時間間隔で検出する所定数の上記信号強度値を、その検出毎に先入先出で更新しながら保持したうえで、上記所定数の信号強度値の平均値を、上記信号強度値が検出される毎に算定して記憶し、さらに上記平均値を算定する毎に、算定した算定平均値と予め記憶している記憶平均値とを比較し、上記算定平均値が上記記憶平均値より減少し、且つその減少量が所定の抑制設定値以上になると、上記検波された信号が上記音声出力部に入力されるのを上記ミュート部によって抑制させる、
ことを特徴とする受信機。
【請求項２】
上記制御部は、
上記信号強度検出部が所定の時間間隔毎に検出する所定数の上記信号強度値を、検出毎に先入先出でデータ更新しながら記憶する第１記憶手段と、
上記第１記憶手段が記憶している上記所定数の信号強度値の平均値を、上記信号強度値が検出される毎に算定する算定手段と、
上記算定手段が算定する上記平均値を更新しながら記憶する第２記憶手段と、
上記算定手段が上記平均値を算定する毎に、算定した算定平均記と上記記第２憶手段で予め記憶している記憶算定値とを比較し、上記算定平均値が上記記憶平均値より減少し、且つその減少量が上記所定の抑制設定値以上になると、上記検波された信号が上記音声出力部に入力されるのを上記ミュート部によって抑制させる抑制制御手段と、
を備えている、
ことを特徴とする請求項１に記載の受信機。
【請求項３】
上記制御部は、上記ミュート部によって上記音声出力部への入力が抑制されている状態において、上記算定平均値が上記記憶平均値より増加し、且つ上記算定平均値が所定の抑制解除値以上になると、上記ミュート部による上記音声出力部への入力抑制を解除する、
ことを特徴とする請求項１または２に記載の受信機。
【請求項４】
上記制御部は、上記算定平均値が所定のミュートセットレベル未満になると、上記検波された信号が上記音声出力部に入力されるのを上記ミュート部によって抑制させる、
ことを特徴とする請求項１ないし３のいずれかに記載の受信機。
【請求項５】
受信した信号を検波した信号を音声出力しながら、上記受信した信号の信号強度値を検出し、
所定の時間間隔で検出した所定数の上記信号強度値を、その検出毎に先入先出で更新しながら保持したうえで、
上記所定数の信号強度値の平均値を、上記信号強度値が検出される毎に算定して記憶し、
さらに上記平均値を算定する毎に、算定した算定平均値と予め記憶している記憶平均値とを比較し、上記算定平均値が上記記憶平均値より減少し、且つその減少量が所定の抑制設定値以上になると、上記音声出力をミュートする、
ことを特徴とする受信方法。
【請求項６】
所定の時間間隔毎に検出する所定数の上記信号強度値を、検出毎に先入先出でデータ更新しながら記憶する第１記憶ステップと、
上記第１記憶ステップで記憶した上記所定数の信号強度値の平均値を、上記信号強度値が検出される毎に算定する算定ステップと、
上記算定ステップで算定した上記平均値を更新しながら記憶する第２記憶ステップと、
上記算定手段が上記平均値を算定する毎に、算定した算定平均記と上記記第２憶手段で記憶している記憶算定値とを比較し、上記算定平均値が上記記憶平均値より減少し、且つその減少量が上記所定の抑制設定値以上になると、上記音声出力をミュートする抑制ステップと、
を含む、
ことを特徴とする請求項５に記載の受信方法。
【発明の詳細な説明】
【技術分野】
【０００１】
本発明は受信機に関したものであり、特には、受信して検波した信号の音声出力部への入力を制御するミュート部を備えた受信機に関する。
【背景技術】
【０００２】
従来、特にＦＭ受信機には、無信号時に耳障りなノイズがスピーカやイヤフォンから出力されることを防止するためにミュート回路（ミュート部）が設けられている。このミュート回路は、具体的には、検波出力信号に含まれるノイズ成分の強度をノイズ検出部で検出してその強度が所定のしきい値以上になると、スピーカやイヤフォンからの音声出力をミュートするように動作するものである。
【先行技術文献】
【特許文献】
【０００３】
【特許文献１】特開２００２−１８５３４０号公報
【発明の概要】
【発明が解決しようとする課題】
【０００４】
しかしながら、ノイズ検出部は、時定数の大きなコンデンサを含む平滑回路を含んでいるため、ノイズ検出部からノイズ検出信号が出力されるまでに遅延が発生する。例えば、送信元である送信側無線通信機が送信を終了した場合でも、受信側無線通信機が無信号になったことを検出するまでにタイムラグがあるので、その間は受信側無線通信機のスピーカやイヤフォンからは無信号のノイズ、例えば「ザッ」というノイズ（「スケルチテールノイズ」という。）が出力される。なお、平滑回路の時定数を小さくするには限界があるので、このようなスケルチテールノイズを無くすことは困難である。
【０００５】
また、受信信号の信号強度が弱いほどノイズ成分の検出の遅延が大きくなるので、受信信号の信号強度が弱い状況下でフェージングにより信号強度が急激に減少した場合、ノイズ成分の急激な増加を検出することができなくなり、その間はノイズが出力される（例えば、特許文献１参照）。
【０００６】
そこで、本発明は、受信中において無信号になったときでも、無信号状態を遅延なく検出して直ちにミュート回路を作動させて、ノイズが出力されることを防止することのできる受信機の提供を目的としてなされたものである。
【課題を解決するための手段】
【０００７】
本発明の受信機は、
受信した信号を検波する検波部と、上記検波された信号を音声出力する音声出力部と、上記受信した信号の信号強度値を検出する信号強度検出部と、上記検波された信号の上記音声出力部への入力を制御するミュート部と、上記信号強度検出部が検出する上記信号強度値に基づいて上記ミュート部を制御する制御部とを備え、
上記制御部は、上記信号強度検出部が所定の時間間隔で検出する所定数の上記信号強度値を、その検出毎に先入先出で更新しながら保持したうえで、上記所定数の信号強度値の平均値を、上記信号強度値が検出される毎に算定して記憶し、さらに上記平均値を算定する毎に、算定した算定平均値と予め記憶している記憶平均値とを比較し、上記算定平均値が上記記憶平均値より減少し、且つその減少量が上記所定の抑制設定値以上になると、上記検波された信号が上記音声出力部に入力されるのを上記ミュート部によって抑制させる。
【０００８】
本発明の受信機は、
上記制御部が、
上記信号強度検出部が所定の時間間隔毎に検出する所定数の上記信号強度値を、検出毎に先入先出でデータ更新しながら記憶する第１記憶手段と、
上記第１記憶手段が記憶している上記所定数の信号強度値の平均値を、上記信号強度値が検出される毎に算定する算定手段と、
上記算定手段が算定する上記平均値を更新しながら記憶する第２記憶手段と、
上記算定手段が上記平均値を算定する毎に、算定した算定平均記と上記記第２憶手段で記憶している記憶算定値とを比較し、上記算定平均値が上記記憶平均値より減少し、且つその減少量が上記所定の抑制設定値以上になると、上記検波された信号が上記音声出力部に入力されるのを上記ミュート部によって抑制させる抑制制御手段と、
をさらに備えているのが好ましい。
【０００９】
本発明の受信機は、
上記制御部が、上記ミュート部によって上記音声出力部への入力が抑制されている状態において、上記算定平均値が上記記憶平均値より増加し、且つ上記算定平均値が所定の抑制解除値以上になると、上記ミュート部による上記音声出力部への入力抑制を解除する、
のが好ましい。
【００１０】
本発明の受信機は、
上記制御部が、上記算定平均値が所定のミュートセットレベル未満になると、上記検波された信号が上記音声出力部に入力されるのを上記ミュート部によって抑制させる、
のが好ましい。
【００１１】
本発明の受信方法は、
受信した信号を検波した信号を音声出力しながら、上記受信した信号の信号強度値を検出し、
所定の時間間隔で検出した所定数の上記信号強度値を、その検出毎に先入先出で更新しながら保持したうえで、
上記所定数の信号強度値の平均値を、上記信号強度値が検出される毎に算定して記憶し、
さらに上記平均値を算定する毎に、算定した算定平均値と予め記憶している記憶平均値とを比較し、上記算定平均値が上記記憶平均値より減少し、且つその減少量が上記所定の抑制設定値以上になると、上記音声出力をミュートする。
【００１２】
本発明の受信方法は、
所定の時間間隔毎に検出する所定数の上記信号強度値を、検出毎に先入先出でデータ更新しながら記憶する第１記憶ステップと、
上記第１記憶ステップで記憶した上記所定数の信号強度値の平均値を、上記信号強度値が検出される毎に算定する算定ステップと、
上記算定ステップで算定した上記平均値を更新しながら記憶する第２記憶ステップと、
上記平均値を算定する毎に、算定した算定平均記と上記記第２憶手段で記憶している記憶算定値とを比較し、上記算定平均値が上記記憶平均値より減少し、且つその減少量が上記所定の抑制設定値以上になると、上記音声出力をミュートする抑制ステップと、
を含む、
のが好ましい。
【発明の効果】
【００１３】
本発明によれば、信号強度値の平均値の減少量が、所定の抑制設定値以上になると、上記ミュート部によって上記検波された信号の上記音声出力部への入力を抑制するので、送信側からの信号が終了した場合やフェージングが発生した場合などのように、信号強度が急激に低下した場合には、直ちにミュート部によるノイズの抑制機能が働き、ノイズがスピーカから出力されることが防止される。
【００１４】
さらには、信号強度値の平均値の減少量をサンプリングしてミュート部の制御を行っているので、一時的な信号強度の変動に基づいた誤抑制が生じにくくなってその分、精度の高いミュート部の抑制が可能となる。
【００１５】
また、信号強度値の平均値を用いているので、機種や仕様、さらには環境要因等に基づいて平均を取るサンプル数の増減調整を行うことで、相反する課題である処理速度と処理精度とのバランスを維持した適切なノイズ抑制効果を得ることが可能となる。
【００１６】
また、ミュート部によって音声出力部への入力が抑制されている状態において、算定平均値が記憶平均値より増加し、且つ算定平均値が所定の抑制解除値以上になると、ミュート部による音声出力部への入力抑制を解除するので、ミュート処理により必要以上に音声出力が遮断されることはない。
【００１７】
さらには、算定平均値が所定のミュートセットレベル未満になると、検波された信号が音声出力部に入力されるのをミュート部によって抑制させる構成では、信号強度値の平均値の減少量が、所定の抑制設定値以上の場合だけでなく、信号強度値の平均値そのものが所定のミュートセットレベル未満になっても、ミュート部によって検波された信号の音声出力部への入力を抑制するので、ノイズの抑制効果がさらに高まる。
【図面の簡単な説明】
【００１８】
【図１】本発明にかかる受信機の実施の形態のブロック図である。
【図２】本発明の受信器の要部のブロック図である。
【図３】本発明の受信器による信号強度値の記憶ならびに平均値処理を示す説明図である。
【図４】本発明の受信機におけるフロー図である。
【図５】本発明の受信機における信号強度値の変動グラフの例である。
【発明を実施するための形態】
【００１９】
以下に、本発明にかかる受信機を、その実施の形態を示した図面に基づいて詳細に説明する。
【００２０】
図１に示したブロック図において、１はアンテナ、２は高周波増幅部（ＲＦ部）、３は中間周波増幅部（ＩＦ部）、４は検波部、５はミュート部、６はオーディオ信号増幅部（ＡＦ増幅部）、７はスピーカ、８は、ハイパスフィルター（ＨＰＦ）８ａと整流平滑部８ｂとからなるノイズレベル検出部、１０は制御部、１１は信号強度検出部であり、２０は本発明にかかる受信機である。ＲＦ部２には、高周波信号を局部発振信号と混合して、中間周波信号に変換する図示しないミキサー部を含んでいる。
【００２１】
なお、ＡＦ増幅部６とスピーカ７とで音声出力部が構成されている。音声出力部としては、スピーカに限らず、イヤフォンや他の回路・機器へ出力する構成も含む。ＩＦ部３、検波部４、ノイズレベル検出部８（ＨＰＦ８ａ、整流平滑部８ｂ）、および信号強度検出部１１としては、これらの回路構成が一括で組み込まれているＩＣ１２を採用することができる。
【００２２】
制御部１０は、中央演算ユニット以外に、外部入出力ユニット、プログラムが書き込まれたメモリ、およびデータ読み書き用のメモリなどのようにミュート部５の制御に必要な制御部としての構成を備えている。具体的には、制御部１０は、図２に示されているように、第１記憶手段１０ａと、算定手段１０ｂと、第２記憶手段１０ｃと、抑制制御手段１０ｄとを備えている。
【００２３】
アンテナ１で受信された高周波信号は、ＲＦ部２で増幅され、中間周波信号に変換され、ＩＦ部３で増幅される。次に、中間周波信号は検波部４に入力されて検波信号が検出される。そして、検波信号はミュート部５を介してＡＦ増幅部６に入力されて増幅され、音声信号としてスピーカ７から出力される。
【００２４】
信号強度検出部１１は、常時中間周波信号の信号強度を所定のサンプリング周期点毎に検出し、検出した結果を信号強度値（RSSI:Received Signal Strength Indicator.）として制御部１０に出力する。制御部１０では、入力される信号強度値を第１記憶手段１０ａで記憶する。第１記憶手段１０ａは入力される信号強度値を検出毎に先入先出でデータ更新しながら記憶する。第１記憶手段１０ａは直近の所定数（例えば、８個）の信号強度値を記憶する。
【００２５】
算定手段１０ｂは、所定のサンプリング時間間隔毎に、第１記憶手段１０ａが記憶している所定数の信号強度値を読み出してその平均値を算定する。平均値は例えば移動平均により算定される。ここで移動平均の手法は特に限定されず、例えば、単純移動平均、加重移動平均、指数移動平均を用いることができる。本実施形態では、単純移動平均により平均値を算定している。
【００２６】
算定手段１０ｂは、算定した平均値を抑制制御手段１０ｄと第２記憶手段１０ｃとに出力する。第２の記憶手段１０ｃは、入力された平均値の記憶の更新を抑制制御手段１０ｄの指示（記憶更新信号）に基づいて実施する。以下、算定手段１０ｂが算定する平均値を算定平均値と称し、第２記憶手段１０ｃで前もって記憶している平均値を記憶平均値と称する。
【００２７】
抑制制御手段１０ｄは、算定手段１０ｂから算定平均値が入力されると、第２記憶手段１０ｃから記憶平均値を読み出し、両者（算定平均値と記憶平均値）を比較することで信号強度値の傾きを検出するともに信号強度値の変化量を算出する。ここで、信号強度値の傾きとは、検出時点（各サンプリング周期点）において信号強度値が増加もしくは減少しているかを示している。具体的には、算定平均値が記憶平均値よりも大きければ、信号強度値は増加していると判断し、逆であれば、信号強度値は減少していると判断する。また、信号強度値の変化量は、算定平均値と記憶平均値との間の差分の絶対値を変化量として算出する。抑制制御手段１０ｄは、信号強度値の傾きの検出と信号強度値の変化量の算出とを完了すると、第２記憶手段１０ｃに記憶更新信号を送る。記憶送信信号を受けた第２記憶手段１０ｃは、記憶している記憶平均値を算定手段１０ｂから入力された算定平均値に置き換えることで、記憶平均値を更新する。なお、第２記憶手段１０ｃは、記憶している記憶平均値を抑制制御手段１０ｄに出力した時点で、上述した記憶平均値の更新を実施してもよい。
【００２８】
以上の処理をしたうえで抑制制御手段１０ｄは、算定手段１０ｂから入力された算定平均値が第２記憶手段１０ｃから読み出した記憶平均値より減少し、且つその減少量（変化量）が所定の抑制設定値以上であると判断すると、ミュート部５へミュート開始信号を出力する。ミュート開始信号を受けるとミュート部５はミュート処理を開始するので、検波信号はミュート部５で遮断（抑制を含む）されてＡＦ増幅部６に入力されず、そのため、音声信号はスピーカ７から出力されない。このようにして、ミュート部５によるノイズ抑制機能（ミュート機能）が働く。
【００２９】
次に第１記憶手段１０ａによる所定数（８個等）の信号強度値の記憶処理、算定手段１０ｂによる算定平均値の算定処理、ならびに第２記憶手段１０ｃによる記憶平均値の記憶処理について、図３を参照してさらに詳細に説明する。
【００３０】
なお、以下の説明では、図３（ａ）に示すように、所定数のサンプリング処理を経たサンプリング周期点ｔ１において第１記憶手段１０ａは、このサンプリング周期点ｔ１および直近の所定数のサンプリング周期点において信号強度検出部１１が検出した所定数（８個等）の信号強度値ａ〜ｈを記憶していると仮定して説明を行う。
【００３１】
サンプリング周期点ｔ１において算定手段１０ｂは、第１記憶手段１０ａからこれらの信号強度値ａ〜ｈを読み出してその平均値を算定する。第２記憶手段１０ｃは、算定手段１０ｂが算定した値、すなわち算定平均値Ａ１を、サンプリング周期点ｔ１における記憶平均値Ａ１’として記憶する。
【００３２】
図３（ｂ）に示すように、次のサンプリング周期点ｔ２において信号強度検出部１１が検出する信号強度値ｉが第１記憶手段１０ａに入力されると、第１記憶手段１０ａは、先入先出、すなわち、記憶している信号強度値ａ〜ｈのうちで最も時間的に先の時点で記録した信号強度値ａを破棄して、新たに入力された信号強度値ｉを更新記憶する。これによりサンプリング周期点ｔ２における第１記憶手段１０ａの記録データは、信号強度値ｂ〜ｉに更新される。算定手段１０ｂは、これら所定数の信号強度値ｂ〜ｉを第１記憶手段１０ａから読み出してその平均値を算定し、算定した値、すなわちサンプリング周期点ｔ２における算定平均値Ａ２を抑制制御手段１０ｄと第２記憶手段１０ｃとに出力する。
【００３３】
抑制制御手段１０ｄは、算定手段１０ｂから算定平均値Ａ２が入力されると、第２記憶手段１０ｃから記憶平均値Ａ１’を読み出し、信号強度値の傾きの検出と信号強度値の変化量の算出を行う。この処理が完了すると、抑制制御手段１０ｄは、第２記憶手段１０ｃに記憶更新信号を送る。記憶更新信号を受けた第２記憶手段１０ｃは、記憶している記憶平均値Ａ１’を、算定手段１０ｂから入力された算定平均値Ａ２に置き換えることで記憶平均値Ａ２’に更新する。
【００３４】
図３（ｃ）に示すように、次のサンプリング周期点ｔ３において信号強度検出部１１が検出する信号強度値ｊが第１記憶手段１０ａに入力されると、第１記憶手段１０ａは、記憶している信号強度値ｂ〜ｉのうちで最も時間的に先の時点で記録した信号強度値ｂを破棄して、新たに入力された信号強度値ｊを更新記憶する。これによりサンプリング周期点ｔ３における第１記憶手段１０ａの記録データは、信号強度値ｃ〜ｊに更新される。算定手段１０ｂは、これら所定数の信号強度値ｃ〜ｊを第１記憶手段１０ａから読み出してその平均値を算定し、算定した値、すなわちサンプリング周期点ｔ３における算定平均値Ａ３を抑制制御手段１０ｄと第２記憶手段１０ｃとに出力する。
【００３５】
抑制制御手段１０ｄは、算定手段１０ｂから算定平均値Ａ３が入力されると、第２記憶手段１０ｃから記憶平均値Ａ２’を読み出し、これらの値Ａ３、Ａ２’を用いて信号強度値の傾きの検出と信号強度値の変化量の算出を行う。この処理が完了すると、抑制制御手段１０ｄは、第２記憶手段１０ｃに記憶更新信号を送る。記憶更新信号を受けた第２記憶手段１０ｃは、記憶している記憶平均値Ａ２’を、算定手段１０ｂから入力された算定平均値Ａ３に置き換えることで、記憶平均値Ａ３’に更新記憶する。
【００３６】
図３（ｄ）に示すように、次のサンプリング周期点ｔ４において信号強度検出部１１が検出する信号強度値ｋが第１記憶手段１０ａに入力されると、第１記憶手段１０ａは、記憶している信号強度値ｃ〜ｊのうちで最も時間的に先の時点で記録した信号強度値ｃを破棄して、新たに入力された信号強度値ｋを更新記憶する。これによりサンプリング周期点ｔ４における第１記憶手段１０ａの記録データは、信号強度値ｄ〜ｋに更新される。算定手段１０ｂは、これら所定数の信号強度値ｄ〜ｋを第１記憶手段１０ａから読み出してその平均値を算定し、算定した値、すなわちサンプリング周期点ｔ４における算定平均値Ａ４を抑制制御手段１０ｄと第２記憶手段１０ｃとに出力する。
【００３７】
抑制制御手段１０ｄは、算定手段１０ｂから算定平均値Ａ４が入力されると、第２記憶手段１０ｃから記憶平均値Ａ３’を読み出し、これらの値Ａ４、Ａ３’を用いて信号強度値の傾きの検出と信号強度値の変化量の算出を行う。この処理が完了すると、抑制制御手段１０ｄは、第２記憶手段１０ｃに記憶更新信号を送る。記憶更新信号を受けた第２記憶手段１０ｃは、記憶している記憶平均値Ａ３’を、算定手段１０ｂから入力された算定平均値Ａ４に置き換えることで、記憶平均値Ａ４’に更新記憶する。
【００３８】
以上の処理を繰り返すことで、第１記憶手段１０ａによる所定数（８個等）の信号強度値の記憶処理、算定手段１０ｂによる算定平均値の算定処理、ならびに第２記憶手段１０ｃによる記憶平均値の記憶処理が実施される。
【００３９】
なお、抑制制御手段１０ｄは、上述したミュート部５によるノイズ抑制動作（ミュート機能）を行ったうえで、さらに、次の二つのノイズ抑制動作（ミュート機能）を行う。すなわち、抑制制御手段１０ｄは、サンプリング時間毎に算定手段１０ｂから出力される算定平均値と、予め抑制制御手段１０ｄで記憶している所定のミュートセットレベルとを比較し、算定平均値が所定のミュートセットレベル未満であることを確認した場合においても、ミュート部５へミュート開始信号を出力する。ミュート部５はこのような判断に基づいたミュート開始信号を受けた場合においても上述したミュート処理を開始し、これにより検波信号はミュート部５で遮断され、ＡＦ増幅部６に入力されず、音声信号はスピーカ７から出力されない。
【００４０】
また、検波部４から出力された検波信号は、ＨＰＦ８ａに入力されて、検波信号に含まれるノイズ成分が検出され、整流平滑部８ｂで整流平滑されてノイズレベル信号として抑制制御手段１０ｄに入力される。抑制制御手段１０ｄは、入力されたノイズレベル信号からノイズレベル値を算出する。抑制制御手段１０ｄは、算出したノイズレベル値と、予め記憶している所定のノイズレベル値上限値とを比較し、ノイズレベル値がノイズレベル値上限値以上であると判断すると、ミュート部５へミュート開始信号を出力する。ミュート部５はこのような判断に基づいたミュート開始信号を受けた場合においても上述したミュート処理を開始し、これにより検波信号はミュート部５で遮断され、ＡＦ増幅部６に入力されず、音声信号はスピーカ７から出力されない。
【００４１】
次に、上述したミュート部５によるノイズ抑制動作（ミュート機能）の解除処理について説明する。抑制制御手段１０ｄは、算定平均値が記憶平均値より増加し、且つその増加量（変化量）が所定の抑制解除値以上であると判断すると、ミュート部５へミュート解除信号を出力する。
【００４２】
また、抑制制御手段１０ｄは、算定平均値が記憶平均値より増加し、且つ算定平均値そのものの値が所定のミュートリリースレベル以上であると判断すると、ミュート部５へミュート解除信号を出力する。
【００４３】
また、抑制制御手段１０ｄは、整流平滑部９から供給されるノイズレベル信号から算出するノイズレベル値と予め記憶している所定のノイズレベル値上限値とを比較し、ノイズレベル値がノイズレベル値上限値未満であると判断すると、ミュート部５へミュート解除信号を出力する。
【００４４】
以上のミュート解除信号を抑制制御手段１０ｄから受けるとミュート部５はミュート処理を解除するので、検波信号はミュート部５で遮断されることなくＡＦ増幅部６に入力されるので、音声信号はスピーカ７から出力される。このようにして、ミュート部５によるノイズ抑制機能（ミュート機能）が解除される。
【００４５】
以上説明したように、
・サンプリング周期点毎に算定する算定平均値が記憶平均値より減少し、且つその変化量（減少量）が所定の抑制設定値以上となった場合、
・算定平均値が所定のミュートセットレベル未満となった場合、
・ノイズレベル値が所定のノイズレベル値上限値以上となった場合、
の中の何れの場合になっても、抑制制御手段１０ｄはミュート部５へミュート開始信号を出力する。ミュート部５は供給されたミュート開始信号に基づいてミュート処理を開始するので、検波信号はミュート部５で遮断され、ＡＦ増幅部６に入力されず、音声信号はスピーカ７から出力されない。
【００４６】
一方、
・サンプリング周期点毎に算定する算定平均値が記憶平均値より増加し、且つその変化量（増加量）が所定の抑制解除値以上となった場合、
・算定平均値が所定のミュートリリースレベル以上となった場合、
・ノイズレベル値が所定のノイズレベル値上限値未満となった場合、
の中の何れの場合になっても、抑制制御手段１０ｄはミュート部５へミュート解除信号を出力する。ミュート部５は供給されたミュート解除信号に基づいてミュート処理を解除するので、検波信号はミュート部５で遮断されることなく、ＡＦ増幅部６に入力されて音声信号がスピーカ７から出力される。
【００４７】
このようにして、抑制制御手段１０ｄは、サンプリング周期点毎にミュート処理の解除、開始、現状維持の判断を行う。なお、所定の抑制設定値、所定のミュートセットレベル、所定の抑制解除値、所定のミュートリリースレベル、およびノイズレベル値上限値は、抑制制御手段１０ｄが有する図示しないメモリに記憶されている。
【００４８】
次に、図４に示すフロー図を参照して、信号強度値の平均値に基づいたミュート処理の開始／解除の制御手順を説明する。図４に示したフロー図に相当するプログラムが、抑制制御手段１０ｄによって実行可能な状態で抑制制御手段１０ｄを構成するＣＰＵ等のメモリに書き込まれている。
【００４９】
ステップＳ１において抑制制御手段１０ｄは、サンプリング周期点毎に算定手段１０ｂが算定する信号強度値の算定平均値を受け取ると、第２記憶手段１０ｃから記憶平均値を読み出して両者を比較する。そして、抑制制御手段１０ｄは、算定平均値が記憶平均値より減少していると判断すれば、ステップＳ２に移行し、減少していない（増加している）と判断すれば、ステップＳ３に移行する。
【００５０】
ステップＳ２において抑制制御手段１０ｄは、記憶平均値に対する算定平均値の変化量（この場合は減少量）が所定の抑制設定値以上であるか否かを判断する。そして減少量が所定の抑制設定値以上であると判断すればステップＳ４へ移行し、所定の抑制設定値未満であると判断すればステップＳ３へ移行する。
【００５１】
ステップＳ４において抑制制御手段１０ｄは、ミュート部５によるミュート処理（抑制）を開始させたうえで、ステップＳ５へ移行する。
【００５２】
ステップＳ５において抑制制御手段１０ｄは、第２記憶手段１０ｃにおいて記憶している記憶平均値を、現時点において算定手段１０ｂが算定した算定平均値に置き換えることで、記憶平均値を更新させる。
【００５３】
ステップＳ１において、算定平均値が記憶平均値より減少していない（増加している）と判断した場合、もしくはステップＳ２において、減少量が所定の抑制設定値未満と判断した場合、ステップＳ３に移行するが、このステップＳ３において抑制制御手段１０ｄは、算定平均値が所定のミュートセットレベル未満であるか否かを判断する。そして、算定平均値が所定のミュートセットレベル未満であると判断すればステップＳ４→Ｓ５へ移行する。一方、算定平均値が所定のしきい値以上であると判断すればステップＳ６へ移行する。
【００５４】
以上の処理は、一連のミュート設定処理である。次に、ステップＳ６以降のミュート解除処理を説明する。ステップＳ６において抑制制御手段１０ｄは、算定平均値が記憶平均値より増加しているか否かを判断する。そして算定平均値が記憶平均値より増加していると判断すればステップＳ７へ移行し、増加していない（減少している）と判断すれば、ステップＳ８に移行する。
【００５５】
ステップＳ７において抑制制御手段１０ｄは、記憶平均値に対する算定平均値の変化量（この場合は増加量）が所定の抑制解除値以上であるか否かを判断する。そして増加量が所定の抑制解除値以上であると判断すれば、ステップＳ９へ移行し、所定の抑制解除値未満であると判断すれば、ステップＳ８に移行する。
【００５６】
ステップＳ９において抑制制御手段１０ｄは、ミュート部５によるミュート処理を解除したうえで、ステップＳ５（記憶平均値更新処理）へ移行する。
【００５７】
ステップＳ６において、算定平均値が記憶平均値より増加していない（減少している）と判断した場合、もしくはステップＳ７において、増加量が所定の抑制解除値未満と判断した場合、ステップＳ８に移行するが、このステップＳ８において抑制制御手段１０ｄは、算定平均値が所定のミュートリリースレベル以上であるか否かを判断する。そして、算定平均値が所定のミュートリリールレベル以上であると判断すれば、ステップＳ９（ミュート解除処理）へ移行する。一方、算定平均値が所定のミュートリリース未満であると判断すれば、ステップＳ９（ミュート解除処理）を行うことなく、ステップＳ５（記憶平均値更新処理）へ移行する。
【００５８】
次に、受信機２０の信号強度検出部１１が検出する信号強度値の時間変化を示した図５を参照して、信号強度値の変化に基づいたミュート処理の開始／解除の制御を説明する。
【００５９】
図５のグラフ上にプロットした各ポイントＡ１〜Ａ１０は、サンプリング周期点ｔ１〜ｔ１０毎に、算定手段１０ｂが算定した直近の所定数（８個等）の信号強度値の平均値（算定平均値）である。各サンプリング周期点ｔ１〜ｔ９において算定された算定平均値は、記録平均値として次のサンプリング周期点ｔ２〜ｔ１０まで、第２記憶手段１０ｃに記憶されており、次のサンプリング周期点ｔ２〜ｔ１０において、その周期点で算定された新規な算定平均値と比較される。
【００６０】
サンプリング周期点ｔ１からサンプリング周期点ｔ２に移行する期間、および、サンプリング周期点ｔ２からサンプリング周期点ｔ３に移行する期間では、算定手段１０ｂが算定した算定平均値と第２記憶手段１０ｃに記憶されている記録平均値と比較して、算定平均値の方が減少している。しかしながら、その減少量（算定平均値と記憶平均値との差分の絶対値）は所定の抑制設定値未満であり、且つ算定平均値そのものが所定のミュートセットレベル以上であるので、ミュート処理は開始されない。したがって、ミュート処理が解除された状態がサンプリング周期点ｔ３まで維持される。
【００６１】
しかしながら、サンプリング周期点ｔ３からサンプリング周期点ｔ４に移行する期間では、フェージングによって算定平均値が急激に減少し、記録平均値と比較して、その減少量が所定の抑制設定値以上となる。そのため、サンプリング周期点ｔ４の時点で直ちにミュート処理が開始される。したがって、検波信号はミュート部５で遮断され、ＡＦ増幅部６に入力されず、音声信号はスピーカ７から出力されない。
【００６２】
このように、算定平均値が所定のミュートセットレベル以上であっても、記録平均値に対する算定平均値の減少量が所定の抑制設定値以上となった場合には、その直後に算定平均値が所定のミュートセットレベル未満になる可能性が高いと判断する。そして、算定平均値が所定のミュートセットレベル未満となったことを確認できる時点（サンプリング周期点ｔ５）より早い時点（サンプリング周期点ｔ４）でミュート処理を開始することで、ノイズがスピーカから出力されることを未然に防止することができる。
【００６３】
そして、サンプリング周期点ｔ４からサンプリング周期点ｔ６に移行する期間のように、ミュート処理中においてフェージングによる記憶平均値に対する算定平均値の増加がほとんどない状態では、ミュート処理は解除されずに維持される。
【００６４】
しかしながら、サンプリング周期点ｔ７からサンプリング周期点ｔ８に移行する期間では、算定平均値が急激に増加し、記録平均値と比較して、その増加量が所定の抑制解除値以上となる。そのため、サンプリング周期点ｔ８の時点で直ちにミュート処理が解除される。したがって、検波信号はミュート部５を通過して、ＡＦ増幅部６に入力されて、音声信号はスピーカ７から出力される。そして、ミュート処理が解除された状態がサンプリング周期点ｔ９まで維持される。
【００６５】
このように、算定平均値が所定のミュートリリースレベル未満であっても、記録平均値に対する算定平均値の増加量が所定の抑制解除値以上となった場合には、その直後に算定平均値が所定のミュートリリースレベル以上になる可能性が高いと判断する。そして、算定平均値が所定のミュートリリースレベル以上となったことを確認できる時点（サンプリング周期点ｔ９）より早い時点（サンプリング周期点ｔ８）でミュート処理を解除することで、迅速にミュート処理の解除を行うことができる。これにより、ミュート処理による音声出力の遮断が必要以上に長引くことがなくなる。
【００６６】
以上のように、信号強度値の平均値の減少量をチェックして、減少量が所定の抑制設定値以上の場合には直ちにミュート処理を開始するので、送信側からの信号が終了した場合やフェージングが発生した場合などのように、信号強度が急激に低下した場合には、直ちにミュート機能が働き、ノイズがスピーカから出力されることが防止される。
【００６７】
また、本発明は信号強度値が急激に減少する際に生じるスケルチテールノイズを抑制する効果があるが、フェージング環境等に見られるように、信号強度値が急激に増加することで不要な大音量が生じる現象を抑制する際にも本発明を適用することができる。その場合、制御部１０は、信号強度値の平均値の増加量が所定の増加抑制設定値以上になると、検波された信号がスピーカ７（音声出力部）に入力されるのをミュート部５によって抑制させる。
【実施例１】
【００６８】
本発明の実施例１では、ＦＭ送受信機の受信部に本発明を採用した。
【符号の説明】
【００６９】
１ アンテナ
２ 高周波増幅部（ＲＦ部）
３ 中間周波増幅部（ＩＦ部）
４ 検波部
５ ミュート部
６ オーディオ信号増幅部（ＡＦ増幅部）
７ スピーカ
８  ノイズレベル検出部
８ａ  ハイパスフィルター（ＨＰＦ）
８ｂ 整流平滑部
１０ 制御部
１１ 信号強度検出部
２０ 受信機
６、７ 音声出力部
【図１】
2015119252.tif 000003
【図２】
2015119252.tif 000004
【図３】
2015119252.tif 000005
【図４】
2015119252.tif 000006
【図５】
2015119252.tif 000007